(57)【要約】本発明は機種が異なる室外機のモニタリングにも適用できるデータの授受方法を提供する。第１情報（Ａ１ｂ）は、室外機（１０ｂ）において備えられる部品であって、状況を把握すべき対象についての情報である。モニタ（２０）はステップ（Ｓ２２）において第１情報（Ａ１ｂ）を入力する。モニタ（２０）の操作者は、第１情報（Ａ１ｂ）の中から状況を把握すべき対象を選択して、当該対象の状況を示す情報を要求する。ステップ（Ｓ２４）において、モニタ（２０）は第２要求（Ｑ２）を出力する。室外機（１０ｂ）は選択された対象についての状況を示す情報として、第２情報（Ａ２）を出力する。モニタ（２０）の操作者は、室外機（１０ｂ）の状況、なかでも、第１情報（Ａ１ｂ）に基づいて選択した対象についての状況を把握することができる。
2004079273.tif 000002
【特許請求の範囲】
【請求項１】
第１機器（１０ｂ）から第２機器（２０）へと第１情報（Ａ１ｂ）を送信し（Ｓ１４）、
前記第１情報に基づいて、前記第２機器から前記第１機器へと、第２情報（Ａ２）の要求（Ｑ２）を出力（Ｓ２４）し、
前記第２情報の前記要求に対応して、前記第１機器から前記第２機器へと前記第２情報を送信し（Ｓ１６）、
前記第１情報は、前記第１機器が備える部品であって状況を把握すべき対象についての情報を含み、
前記第２情報は前記対象についての前記状況を示す、データの授受方法。
【請求項２】
前記第１情報（Ａ１ｂ）に基づいて選択された前記対象について前記第２情報の要求（Ｑ２）を行う、請求の範囲第１項記載のデータの授受方法。
【請求項３】
前記第２機器（２０）から前記第１機器（１０ｂ）へと、前記第１情報（Ａ１ｂ）の要求（Ｑ１）を出力し（Ｓ２１）、
前記第１情報の前記要求に対応して、前記第１機器から前記第２機器へと前記第１情報又は異常情報（Ａ１ａ）を送信し（Ｓ１３，Ｓ１４）、
前記異常情報は、前記第１情報の前記要求が正常でない場合に送信され（Ｓ１２，Ｓ１３）、
前記第１情報は、前記第１情報の前記要求が正常である場合に送信され（Ｓ１２，Ｓ１４）る、請求の範囲第１項及び第２項のいずれか一つに記載のデータの授受方法。
【請求項４】
前記第１機器（１０ｂ）から前記第２機器（２０）へと前記異常情報が送信された場合には、前記第２情報の前記要求（Ｑ２）は出力されない（Ｓ２３）、請求の範囲第３項記載のデータの授受方法。
【請求項５】
前記第１情報（Ａ１ｂ）は、前記対象の種類及びその個数についての情報を含む、請求の範囲第１項乃至第４項のいずれか一つに記載のデータの授受方法。
【請求項６】
前記第１機器は空気調和機の室外機であり、
前記第１情報は、センサ及びアクチュエータの個数についての情報を含む、請求の範囲第５項記載のデータの授受方法。
【請求項７】
前記センサは、圧力センサ、サーミスタのうちの少なくともいずれか一つを含む、請求の範囲第６項記載のデータの授受方法。
【請求項８】
前記アクチュエータは、圧縮機、ファン、蒸発弁、四路弁、クランクケースヒータ、電磁弁のうちの少なくともいずれか一つを含む、請求の範囲第６項及び第７項のいずれか一つに記載のデータの授受方法。
【請求項９】
前記第２情報の前記情報（Ｑ２）は、前記センサ及び前記アクチュエータから選択された前記対象についての前記第２情報を要求する、請求の範囲第６項乃至第８項のいずれか一つに記載のデータの授受方法。
【請求項１０】
前記第２情報（Ａ２）は、前記センサのデータを含む、請求の範囲第９項に記載のデータの授受方法。
【請求項１１】
前記第２情報（Ａ２）は、前記アクチュエータのデータを含む、請求の範囲第９項及び第１０項のいずれか一つに記載のデータの授受方法。
【請求項１２】
前記第２機器（２０）は、選択された前記対象についての前記状況を表示する、請求の範囲第１項乃至第１１項のいずれか一つに記載のデータの授受方法。
【発明の詳細な説明】
【技術分野】  この発明はデータを授受する技術に関し、例えば空気調和機の室外機の状況を外部からモニタする際に利用することができる。
【背景技術】  従来から、例えば室内機と室外機とが伝送ラインによって接続された空気調和機において、通信線にデータ読み出し書き込み装置を接続し、これによって室内機の情報を受信する技術が提案されている。かかる技術は例えば特許文献１に紹介されている。
【特許文献１】：特開２００２−３１０４８９号公報
しかし、空気調和機の室外機は機種毎にその状況を把握すべき部品、例えばセンサやアクチュエータの種類や個数が異なる。よって室外機の状況をモニタするための機器においては機種毎に異なるソフトウェアを動作させる必要があった。よって新たな機種が増えれば、新たにモニタ用のソフトウェアを開発する必要があった。
【発明の開示】
本発明はかかる問題を解決することを課題とし、機種が異なる室外機のモニタリングにも適用できるデータの授受方法を提供する。
本発明に係るデータの授受方法の第１の態様は、第１機器（１０ｂ）から第２機器（２０）へと第１情報（Ａ１ｂ）を送信し（Ｓ１４）、前記第１情報に基づいて、前記第２機器から前記第１機器へと、第２情報（Ａ２）の要求（Ｑ２）を出力（Ｓ２４）し、前記第２情報の前記要求に対応して、前記第１機器から前記第２機器へと前記第２情報を送信する（Ｓ１６）。前記第１情報は、前記第１機器が備える部品であって状況を把握すべき対象についての情報を含み、前記第２情報は前記対象についての前記状況を示す。
本発明に係るデータの授受方法の第１の態様によれば、状況を把握すべき対象についての情報が予め第２機器に知らされるので、第１機器が備える対象に相違があっても、新たに第２機器についてのソフトウェアを開発する必要がない。
本発明に係るデータの授受方法の第２の態様は、第１の態様であって、前記第１情報（Ａ１ｂ）に基づいて選択された前記対象について前記第２情報の要求（Ｑ２）を行う。
本発明に係るデータの授受方法の第２の態様によれば、第２機器の操作者は、第１機器の状況、なかでも、第１情報に基づいて選択した対象についての状況を把握することができる。
本発明に係るデータの授受方法の第１の態様や第２の態様において望ましくは、前記第２機器（２０）から前記第１機器（１０ｂ）へと、前記第１情報（Ａ１ｂ）の要求（Ｑ１）を出力し（Ｓ２１）、前記第１情報の前記要求に対応して、前記第１機器から前記第２機器へと前記第１情報又は異常情報（Ａ１ａ）を送信する（Ｓ１３，Ｓ１４）。前記異常情報は、前記第１情報の前記要求が正常でない場合に送信され（Ｓ１２，Ｓ１３）、前記第１情報は、前記第１情報の前記要求が正常である場合に送信され（Ｓ１２，Ｓ１４）る。
更に望ましくは、前記第１機器（１０ｂ）から前記第２機器（２０）へと前記異常情報が送信された場合には、前記第２情報の前記要求（Ｑ２）は出力されない（Ｓ２３）。
望ましくは、前記第１情報（Ａ１ｂ）は、前記対象の種類及びその個数についての情報を含む。
更に望ましくは、前記第１機器は空気調和機の室外機であり、前記第１情報は、センサ及びアクチュエータの個数についての情報を含む。
望ましくは、前記センサは、圧力センサ、サーミスタのうちの少なくともいずれか一つを含む。
望ましくは、前記アクチュエータは、圧縮機、ファン、蒸発弁、四路弁、クランクケースヒータ、電磁弁のうちの少なくともいずれか一つを含む。
望ましくは、前記第２情報の前記情報（Ｑ２）は、前記センサ及び前記アクチュエータから選択された前記対象についての前記第２情報を要求する。
望ましくは、前記第２情報（Ａ２）は、前記センサのデータを含む。
望ましくは、前記第２情報（Ａ２）は、前記アクチュエータのデータを含む。
望ましくは、前記第２機器（２０）は、選択された前記対象についての前記状況を表示する。
この望ましい態様によれば、第２機器の操作者は、第１機器の状況、なかでも選択した対象についての状況を把握することができる。
この発明の目的、特徴、局面、および利点は、以下の詳細な説明と添付図面とによって、より明白となる。
【図面の簡単な説明】  図１は、本発明にかかるデータの授受方法を採用可能な接続関係を示すブロック図である。
図２は、本発明にかかるデータの授受方法を、データの授受とともに示すフローチャートである。
【発明を実施するための最良の形態】  図１は本発明にかかるデータの授受方法を採用可能な接続関係を示すブロック図である。空気調和機１０は室内機１０ａと室外機１０ｂとを備えている。そして室外機１０ｂの状況を外部から監視するモニタ２０が、室外機１０ｂに接続されている。モニタ２０は例えばパーソナルコンピュータを採用することができる。そして所定のソフトウェアが動作することによって室外機１０ｂの状況を監視する。
図２は本発明にかかるデータの授受方法を、データの授受とともに示すフローチャートである。破線左半分のフローチャートは室外機１０ｂの動作を、破線右半分のフローチャートはモニタ２０の動作を、それぞれ示す。
まずモニタ２０がステップＳ２１によって第１要求Ｑ１を出力する。室外機１０ｂはステップＳ１１によって第１要求Ｑ１を入力する。第１要求Ｑ１は、室外機１０ｂから、後述する第１情報Ａ１ｂを出力させるための要求である。
しかし、例えば室外機１０ｂとモニタ２０との接続が正常に行われていない場合もあり得る。そこでまず、室外機１０ｂはステップＳ１２において、第１要求Ｑ１が正常か否かを判断する。正常でなければステップＳ１３に進み、室外機１０ｂが異常情報Ａ１ａを出力する。正常であればステップＳ１４に進み、室外機１０ｂが第１情報Ａ１ｂを出力する。
表１に異常情報Ａ１ａの内容を例示する。
2004079273.tif 000003
例えば異常情報Ａ１ａは１バイトのアスキーデータ“ＯＸ１５”（Ｘは所定の１６進数）及び１バイトのチェックサムデータＢＣＣを含んでいる。ここではチェックサムデータＢＣＣの値は“ＯＸＥＡ”となっている。
表２に室外機１０ｂから送信される送信データの構造を例示する。
2004079273.tif 000004
例えば送信データはいずれも１バイトの“Ｄ”コマンド、サブコマンド、データ長と、室外機が備えるメモリ、例えばＲＡＭから読み出される２０バイトのＲＡＭデータと、データの続きの有無を示す１ビットのデータと、１バイトのチェックサムデータＢＣＣを含んでいる。
“Ｄ”コマンドはモニタ２０と室外機１０ｂとの間で授受されるデータであって、室外機１０ｂの状況の把握に関連する情報である必要はない。一方、サブコマンド及びＲＡＭデータは、室外機１０ｂの状況を把握すべき対象（例えば室外機１０ｂが備える部品）についての情報である。またデータ長は送信データの長さを示し、送信データをモニタ２０が正しく認識するために用いられる。
表３にサブコマンドの内容を例示する。
2004079273.tif 000005
サブコマンドは２０バイトのＲＡＭデータの内容の区分を示す。具体的にはＲＡＭデータのうち、アドレス“ＯＸ００”から始まる１０バイトのデータがモニタデータ情報であることを、アドレス“ＯＸ１＊”（＊は任意の１６進数）から始まる２バイトのデータがセンサデータであることを、アドレス“ＯＸ２＊”から始まる８バイトのデータがアクチュエータデータであることを、それぞれ指定する。
送信データが第１情報Ａ１ｂである場合には、ＲＡＭデータとしてモニタデータ情報のみが含まれ、センサデータやアクチュエータデータは含まれない。
表４にＲＡＭデータの内容を例示する。
2004079273.tif 000006
ＲＡＭデータのうちモニタデータ情報は、室外機１０ｂが備えるセンサ、インバータ駆動の圧縮機（表中で“ＩＮＶ”と表記）、インバータを用いずに駆動する圧縮機（表中で“ＳＴＤ”と表記）、ファン、蒸発弁（表中で“ＥＶ”と表記）、四路弁、クランクケースヒータ、電磁弁の各々の個数、並びに室外機１０ｂが対応できる室内機の台数（表中で“対応室内台数”と表記）及び室外機１０ｂに実際に接続されている室内機の台数（表中で“接続室内台数”と表記）を有している。これらの個数並びに台数は、いずれも１バイトのデータとして表される。
アクチュエータデータでは、インバータの運転周波数（表中で“ＩＮＶ周波数”と表記）に１バイトを、インバータを用いずに駆動する圧縮機の採否に１ビットを（表中で“ＳＴＤ圧縮機”と表記）、ファンステップ（回転数）に１バイトを、蒸発弁の開度（表中で“ＥＶ開度”と表記）に２バイトを、四路弁の切り替え（表中で“四路切”と表記）に１ビットを、クランクケースヒータの動作の有無に１ビットを、電磁弁の動作の有無に１ビットを、それぞれ割り当てている。例えばインバータの運転周波数やファンステップはｕｎｓｉｇｎｅｄ  ｃｈａｒ形式で、蒸発弁の開度はｕｎｓｉｇｎｅｄ  ｓｈｏｒｔ形式で、それぞれ表される。
センサデータは２バイトが割り当てられている。センサデータは例えば１０倍のｉｎｔ形式で表現される。例えば圧力センサについてのデータはｋｇ／ｃｍ２を単位として、サーミスタについてのデータは℃を単位として、表される。
送信データが第１情報Ａ１ｂである場合には、これがモニタデータ情報、即ち室外機１０ｂにおいて備えられる部品であって、状況を把握すべき対象についての情報を含む。
図２に戻り、モニタ２０はステップＳ２２において異常情報Ａ１ａ及び第１情報Ａ１ｂのいずれか一方を入力する。そして入力した情報が異常情報Ａ１ａであればモニタ２０の動作は終了し、第１情報Ａ１ｂであればステップＳ２４に進む。モニタ２０の動作は終了した場合、改めてステップＳ２１から動作をやり直すことができる。この場合、室外機１０ｂとモニタ２０との接続関係を確認してからステップＳ２１を実行する事が望ましい。
さて、モニタ２０において第１情報Ａ１ｂが入力されれば、モニタ２０の操作者は第１情報Ａ１ｂに基づいて、例えばＲＡＭデータの中に含まれていたモニタデータ情報から状況を把握すべき対象を選択して、当該対象の状況を示す情報を要求する。
具体的にはステップＳ２４において、モニタ２０は第２要求Ｑ２を出力する。第２要求Ｑ２は、第１情報Ａ１ｂに基づいて、例えば選択された対象についての、状況を示す情報である第２情報Ａ２を出力させる要求である。室外機１０ｂはステップＳ１５によって第２要求Ｑ２を入力する。そして室外機１０ｂは第２要求Ｑ２に対応して、ステップＳ１６において第２情報Ａ２を出力する。
表５及び表６に、それぞれセンサデータ及びアクチュエータデータの内容を例示する。
2004079273.tif 000007
2004079273.tif 000008
センサデータは一つのセンサについて２バイトの長さを有する。表４に示されるモニタデータ情報を有する第１情報Ａ１ｂに基づいて、センサの個数を選択することにより、第２要求Ｑ２においてセンサ個数Ｎｓが指定される。これに対応して、第２情報Ａ２として表２に示される送信データが出力される。この場合、第２情報Ａ２としての送信データにおいて、そのＲＡＭデータには２・Ｎｓバイトのセンサデータが含まれアクチュエータデータは含まれない。
あるいは第２要求Ｑ２においてアクチュエータ（インバータ駆動の圧縮機、ファン、蒸発弁、四路弁、クランクケースヒータ）の種類毎にアクチュエータの個数を設定することもできる。これにより、状況を取得するアクチュエータを選択することができる。例えばインバータ駆動の圧縮機の個数Ｎｉと、蒸発弁の個数Ｎｅとを第２要求Ｑ２において指定した場合には、これに対応して第２情報たる送信データが出力される。この場合、ＲＡＭデータには（Ｎｉ＋２・Ｎｅ）バイトのデータとして、Ｎｉ個の圧縮機のインバータ周波数と、Ｎｅ個の蒸発弁の開度とが含まれ、センサデータは含まれない。
但し、第２情報Ａ２においてはモニタデータ情報を含む必要がないので、送信データとしてＲＡＭデータに準備されているデータ長（ここでは２０バイト）を越えない限り、センサデータとアクチュエータデータとを併せて第２要求Ｑ２において要求することができる。
モニタ２０はステップＳ２５において第２情報Ａ２を入力し、ステップＳ２６においてその内容を表示する。これにより、モニタ２０の操作者は、室外機１０ｂの状況、なかでも、第１情報Ａ１ｂに基づいて選択した対象についての状況を把握することができる。
以上のようにして、状況を把握すべき対象の選択が可能であるので、室外機１０ｂについてセンサの数やアクチュエータの数など、対象に相違（例えば対象の個数の相違）があっても、新たにモニタ用のソフトウェアを開発する必要がない。例えばモニタ２０において一度に監視できる対象の個数に上限があっても、状況を示す情報を複数回得ることにより、監視できる対象を増加させることができる。
この発明は詳細に説明されたが、上記した説明は、すべての局面において、例示であって、この発明がそれに限定されるものではない。例示されていない無数の変形例が、この発明の範囲から外れることなく想定され得るものと解される。
【図１】
2004079273.tif 000009
【図２】
2004079273.tif 000010
【国際調査報告】
2004079273.tif 000011
2004079273.tif 000012